(57)【特許請求の範囲】
【請求項１】
多数枚の円盤状記録媒体を収めたマガジンから前記円盤状記録媒体を取り出して搬送機構により光ヘッドが情報を記録又は再生可能な位置に搬送し、搬送された円盤状記録媒体に対して前記光ヘッドが記録または再生する情報を回路基板に形成された信号処理回路により信号処理する光ディスク装置であって、
放熱用ファンと、空気取り入れ可能な第１の開口部と、前記搬送機構及び前記光ヘッドと前記回路基板との間の空間を仕切る仕切部材とを設け、
前記仕切部材には、接続線が通過可能な第２の開口部を設け、該第２の開口部を介して前記搬送機構及び前記光ヘッドと前記回路基板とを接続する構成とし、
前記放熱用ファンにより、前記回路基板側の空間の空気が装置外に放出するように構成し、
前記仕切部材と前記光ディスク装置のフロントパネルとの当接部に第１の防塵部材を設け、
前記接続線であるフレキシブル基板の一部を固定可能で前記第２の開口を覆う形状を有する取付け部材を有し、
前記フレキシブル基板が前記仕切り部材を通過する部分に第２の防塵部材を設けたことを特徴とする光ディスク装置。
【請求項２】
前記フレキシブル基板の一端を基板に接続し、他端を前記光ヘッドに接続し、
前記一端と前記他端との間を前記取付け部材に固定することを特徴とする請求項１記載の光ディスク装置。
【発明の詳細な説明】
【０００１】
【発明の属する技術分野】
本発明は、多数枚の円盤状記録媒体をマガジンに入れた状態で光ディスク装置に挿入し、マガジン装着位置から円盤状記録媒体を装着位置に搬送し、光学的に情報を記録又は再生するマガジン方式の光ディスク装置に関する。
【０００２】
【従来の技術】
従来の光ディスク装置としては、音楽用のコンパクトディスク（以後ＣＤと称する）プレーヤやパーソナルコンピュータ用のＣＤ−ＲＯＭ装置がある。また、光磁気ディスク（以後ＭＯと称する）装置やミニディスク（以後ＭＤと称する）装置は、カートリッジに入った円盤状記録媒体を用いた光ディスク装置である。
【０００３】
これらの光ディスク装置のうち、ＣＤ−ＲＯＭ装置やＭＯ装置では、長年の使用により、光ピックアップに埃やゴミが付くことで正常に動作ができなくなる対策として、防塵構造を取っているものがある。
【０００４】
従来の防塵構造の例としては、光ディスク装置のフロントパネルの衣装部を除いて筐体にある穴をシール等の部材で密封するものがある。ただし、密封すると中の空気が逃げずらくなるため、装置内部の温度上昇が問題となる場合があった（従来装置１）。
【０００５】
一方、基板の発熱対策として、放熱用ファンを用いる光ディスク装置がある。この場合には、強制的に空気を装置内部に流すため、装置内部にゴミが入り易くなり、且つ、筐体の穴を単純に塞ぐだけでは防塵対応が出来ない構造になっていた（従来装置２）。
【０００６】
これら装置１および装置２の課題を同時に解決できる構成として、従来の装置では、放熱用ファンを用いて、発熱する基板付近を空気が流れるようにするとともに、マガジン装着・排出機構と円盤状記録媒体の搬送及び光学的記録又は再生機構に関わる部分にはゴミが入らないように防塵構造としているものもあった（従来装置３）。
【０００７】
【発明が解決しようとする課題】
しかしながら、従来装置３では、放熱用ファンを用いて空気を強制的に引くことで基板を冷却するので、発熱する基板付近を空気が流れるようにする必要がある。逆に、マガジン装着・排出機構と円盤状記録媒体の搬送及び光学的記録又は再生機構に関わる部分はゴミが入らないように防塵構造にしなければならない為、防塵構造の必要な部分と空気を流さなければならない基板部とを分離しなければならない。このような構造をとるには組立性の問題があり、組み立て作業がやりにくいという問題があった。
【０００８】
本発明の目的は、前記した従来装置の欠点をなくし、組み立て作業を容易に行なえる使い勝手の良い光ディスク装置を実現することにある。
【０００９】
【課題を解決するための手段】
本発明は、前述した問題を解決するため、光ディスク装置の構成を上面部と側面部及び放熱用ファンを設けた後面部を有したチェンジャーメカ部と、光学的記録または再生に関わる送りメカ部と、基板部とを仕切部材により分離する構成にすると共に、組立順序を前記チェンジャーメカ部、送りメカ部、フレキシブル基板（以下ＦＰＣと称する）、仕切り部材、ＦＰＣ取付け部材、基板部、フロントパネル部の順とし、前記仕切り部材は、送りメカ部の光ヘッドに接続したＦＰＣを仕切部材に設けた穴を通過させた状態で取り付けるように成し、前記ＦＰＣはＦＰＣ取付け部材に固定し、更に前記仕切部材に固定するように構成する。そして、前記ＦＰＣ取付け部材は、仕切り部材に設けた穴を通して裏側より、前記穴を塞ぐように仕切り部材に取り付け、取り付け後、前記ＦＰＣの光ヘッドの動作に伴う形状変化に対しても、前記穴は充分接触しないように設ける。
【００１０】
次に、底面部材を取り付けた基板部とをＦＰＣとその他接続線を接続し、前記チェンジャーメカ部に取り付け、更に、仕切り部材の基板側部に空気通過可能な穴を設けたフロントパネル部を取り付けることにより、組み立て性の容易な基板部のみ空気がファンによって引かれて流れる防塵構造が達成される。
【００１１】
【発明の実施の形態】
以下、本発明の一実施例を図１〜図５により説明する。
図１は、本発明の光ディスク装置の構成の概略を示した斜視図であり、図２は、本発明の光ディスク装置の構成の概略を示した側面図である。図３は、本発明の光ディスク装置の要部について透視した側面図である。図４は、本発明の光ディスク装置の斜視図である。図５は、本発明の光ディスク装置の図２のＡ矢印方向から見た仕切り部材３のＦＰＣ取付け部材４回りの概略図である。
【００１２】
まず、図１について説明する。１は、筐体の左右側面及び本図では図示していない放熱用ファン１ａを有するチェンジャーメカ部である。このチェンジャーメカ部１には、後述するマガジン８から円盤状記録媒体を取り出し、光ヘッド２ａが情報を記録又は再生可能な位置に搬送する搬送機構も備えている（図示せず）。
【００１３】
２は、光ヘッド２ａを有する送りメカ部である。３は、仕切り部材であり、前記チェンジャメカ部１に取り付け可能で、ＦＰＣを表側と裏側との間で貫通可能な穴３ｂと、フロントパネル組立時にフロントパネルと当接して隙間が無くなるよう防塵クッション３ａを有している。６は、底板で、メイン基板５ａとサブ基板５ｂといった回路基板を取り付けた状態で、前記チャンジャメカ部１に取り付け可能となっている。なお、本実施例では、メイン基板５ａに、円盤状記録媒体に対して光ヘッド２ａが記録または再生する情報を信号処理する信号処理回路を形成し、サブ基板５ｂに搬送機構等のチェンジャーメカ部１を制御する制御回路が形成されている。ただし、これらの基板が別個に形成されていなければならないわけではなく、同じ基板上に形成されていてもよい。
【００１４】
７は、フロントパネルで、前記チェンジャメカ部１と前記底板６に爪部を引っかけて取り付ける構造となっている。フロントパネル７には、空気取り入れ用の穴７ａと取り付けようの爪７ｂ及びマガジン挿入時は内側に逃げる用に設けられた開口部を塞ぐ為のフロントドア７ｃが付いている。
【００１５】
前記仕切り部材３は、チェンジャーメカ部１及び送りメカ部２とメイン基板５ａ、サブ基板５ｂ及び底板部との間の空間を仕切るように取り付けられる構成となっている。
【００１６】
図２は、本発明の光ディスク装置の要部構成を示す側面図である。１ａは冷却用ファンであり、９は防振用ダンパゴムで、送りメカ２に取り付けて、ダンパネジ１０により、チェンジャメカ部１に取り付けられている。ＦＰＣ取付け部材４には、ＦＰＣ４ａが取り付けられており、下側に防塵部材４ｄの穴を通過して基板に取り付く様になっている。又、ＦＰＣ４は、仕切り部材３の上部で、可動部材である光ヘッド２ａと接続するようになり、ＦＰＣ取付け部材４は、下部より仕切り部材３に取り付けネジ４ｂにてとりつける構造になっている。サブ基板５ｂとメイン基板５ａは、底板６に基板ネジ６ａによって取り付けられている。
【００１７】
次に、取り付け順序について説明する。
【００１８】
チェンジャメカ部１に送りメカ部２をダンパネジ１０にて取り付け、ＦＰＣ４ａを光ヘッドに接続し、前記ＦＰＣ４ａを仕切り部材３に設けた穴３ｂを通す。そして、前記仕切り部材３をチェンジャメカ部１に取り付けた後、前記ＦＰＣ４ａをＦＰＣ取付け部材４に取り付け、下側よりＦＰＣ取付け部材４を仕切り部材３に取り付けネジ４ｂにて取り付ける。
【００１９】
このとき、前記穴３ｂは、ＦＰＣ取付け部材４により塞ぐように成し、空気が穴３ｂより通過しないようにしている。（詳細は、図５にて説明する。）
サブ基板５ｂとメイン基板５ａを取り付けた底板６を、チェンジャメカ部１に取り付ける。この際、前記ＦＰＣ４ａの図示しないディスクモータ接続線、チェンジャメカ接続線をメイン基板５ａに接続してから、底板６をチェンジャメカ部１に取り付ける。前記接続線を仕切り部材３から通過させる箇所については、スポンジ等の防塵シートを取り付けて、隙間を無くすように構成している。
【００２０】
最後に、フロントパネル７をチェンジャメカ部１と底板６とに爪７ｂ等の図示しない爪部を含めて取り付ける。
【００２１】
図３は、光ディスク装置の要部を透視した側面図である。８はマガジンで、内部に５枚の媒体が入っており、８ａはマガジン８の１番上に収められている媒体である。本図では、マガジン８の一番上に収めれている媒体８ａがメカ部２に装着された状態を示している。仕切り部材３には、防塵シート３ａが設けられており、組立時フロントパネル７に当接するようになっている。ＦＰＣ４ａは、ＦＰＣ取付け部材４に取り付けられており、前記ＦＰＣ４ａは、光ヘッド２ａに接続されて、かつ、メイン基板５ａに接続されている。
【００２２】
仕切り部材３により、媒体８ａを含むマガジン８と光ヘッド２ａ等の部分とサブ基板５ｂ、メイン基板５ａとの間の空間を仕切る。フロントパネル７に設けた前部穴７ａから空気を取り込んで、メイン基板５ａからの発せられる熱を冷却用ファン１ａによる強制空冷により冷却して内部温度上昇を防ぐ。冷却の必要なメイン基板５ａ側のみ空気が流れるようになっており、汚れが問題になる光ヘッド２ａや媒体８ａといったものがある空間は仕切り部材３で仕切られているので、冷却用ファン１ａによる強制冷却によって当該空間に空気が入ってこず、防塵構造を保つことができる。
【００２３】
図４は、組立完了状態の光ディスク装置の斜視図である。チェンジャメカ部１に底板６とフロントパネル７が取り付けられており、動作時は、フロントパネル７に設けられた空気取り入れ穴７ｃから空気を取り込んで基板部を冷やして、後部の冷却用ファン１ａにて外に排出されるようになっている。
【００２４】
図５は、図２のＡ矢印方向から見た仕切り部材３のＦＰＣ取付け部材４回りの概略図である。この図を用いてＦＰＣ４ａの取り付けについて説明する。
【００２５】
仕切り部材３に設けられた穴３ｂ（斜線部）は、ＦＰＣ４ａが接続組立された状態ではＦＰＣ４ａが移動しても接触しない様な穴形状に設定されており、該穴３ｂを塞ぐ形状に設けたＦＰＣ取付け部材４が、下側から取り付けネジ４ｂにて仕切り部材３に取り付けられている。ＦＰＣ４ａは、ＦＰＣ取付け部材４に設けた取り付け部４ｃ（３箇所）により固定され、防塵部材４ｄに設けたＦＰＣ通過穴より下側の基板側に接続される。
【００２６】
この様にすることにより、ＦＰＣ４ａは、仕切り部材３にＦＰＣ取付け部材４を介して固定することができる。従って、ＦＰＣのねじれを防止し、安定した動作が得られる。好ましくは、前記光ヘッドの移動に伴うＦＰＣの屈曲変化に対し、挟み込みや引っかかり等の動作上の問題が無いように、ＦＰＣを前記ＦＰＣ取付け部材に取り付ける。さらに、ＦＰＣ４ａ取り付けに必要であった穴３ｂもＦＰＣ取付け部材４により塞ぐ事ができるので、防塵構造を満足できる。また、ＦＰＣ４ａは、その弾性を利用してＦＰＣ取付け部材４にはめ込み式に取り付け可能な為、組み立て作業を容易に行なうこともできる。
【００２７】
以上説明したように、マガジン方式の光ディスク装置において、仕切り部材を設けて、防塵構造が必要な媒体及び光学的記録再生に関わる部分と発熱する基板部とを仕切る構成にすることで、冷却ファンによる基板冷却が可能なで、且つ、光ヘッド及び媒体部が防塵構造が可能になり、使い勝手の良い光ディスク装置が可能になる。又、仕切り部材に取り付けるＦＰＣ取付け部材を設けることで、組立性を確保した仕切り部材の構成が可能になる。
【００２８】
【発明の効果】
以上のように本発明によれば、チェンジャーメカ部および光学的記録または再生に関わる送りメカ部と、基板部とを仕切部材により仕切る構成にすることで、放熱が必要な、基板部のみを冷却用ファンにて冷却可能で、且つ、媒体及び光ヘッド部が防塵構造となるマガジン方式の光ディスク装置とすることができる。
【００２９】
また、ＦＰＣをＦＰＣ取付け部材に取り付けた上でこのＦＰＣ取付け部材を仕切り部材に取り付ける構成とすることにより、組み立て作業を容易に行なうことができ、ＦＰＣのねじれを防止して光ヘッドの安定した動作を得ることができる。
【図面の簡単な説明】
【図１】図１は、本発明の光ディスク装置の構成の概略を示す斜視図である。
【図２】図２は、本発明の光ディスク装置の構成を示す側面図である。
【図３】図３は、本発明の光ディスク装置の要部を透視した側面図である。
【図４】図４は、本発明の光ディスク装置の斜視図である。
【図５】図５は、本発明の光ディスク装置を図２のＡ矢印方向から見たときの仕切り部材３のＦＰＣ取付け部材４回りの概略図である。
【符号の説明】
１…チェンジャーメカ部、２…送りメカ部、２ａ…光ヘッド、３…仕切り部材、３ａ…防塵クッション、３ｂ…穴、４…ＦＰＣ取付け部材、４ａ…ＦＰＣ、４ｂ…取り付けネジ、５ａ…メイン基板、５ｂ…サブ基板、６…底板、７…フロントパネル、７ａ…前部穴、８…マガジン。
【図１】
0003699861.tif 000002
【図２】
0003699861.tif 000003
【図３】
0003699861.tif 000004
【図４】
0003699861.tif 000005
【図５】
0003699861.tif 000006